(57)【要約】【課題】  簡便な構成で短い送風路を隙間なく滑らかに延長できるとともに、回動時の動きが判りやすい幅広寸法であっても強度を有した構成でなる上下風向板を備えて送風性能を向上できるようにした空気調和機を提供する。【課題を解決するための手段】  吹出口２に上下風向板７が回動自在に枢支され、同上下風向板７の停止時に前記吹出口２が閉塞され回動時に開放される空気調和機において、前記上下風向板７は、断面Ｓ字状に形成されて前記吹出口２を構成するリアガイダ２ａの近傍に設けられた枢支部６と、フロントガイダ２ｂの近傍に設けられた補助枢支部６’とで回動自在に枢支され、停止時に、前記リアガイダ２ａ寄りとなる下位部に後方に突出する凸面部を有し、上位部に前方に突出する凸面部を有してなる構成にした。【選択図】  図２
2009074757.tif 000002
【特許請求の範囲】
【請求項１】
吸込口と吹出口とを結ぶ空気通路に熱交換器および送風ファンが設けられ、前記吹出口に上下風向板が回動自在に枢支され、同上下風向板の停止時に前記吹出口が閉塞され回動時に開放されてなる空気調和機において、
前記上下風向板は、断面Ｓ字状に形成されて前記吹出口を構成するリアガイダの近傍に設けられた枢支部と、前記吹出口を構成するフロントガイダの近傍に設けられた補助枢支部とで回動自在に枢支され、停止時に、前記リアガイダ寄りとなる下位部に後方に突出する凸面部を有し、上位部に前方に突出する凸面部を有してなることを特徴とする空気調和機。
【発明の詳細な説明】
【技術分野】
【０００１】
本発明は、空気調和機に係わり、より詳細には、簡便な構成で短い送風路を滑らかに延長でき、強度を有して動きが判りやすい上下風向板を備えて送風性能を向上をできるようにした構造に関する。
【背景技術】
【０００２】
従来の空気調和機は、略水平方向の送風量を増加させるようにした上下風向板を有して、より効果的に空気調和を行えるようにしたものとして、図３（Ａ）に示すように、吸込口Ａと吹出口Ｂとを結ぶ空気通路に、熱交換器Ｃと送風ファンＤとを設け、前記吹出口Ｂに少なくとも一枚の上下風向板Ｅを回動自在に軸支してなる空気調和機において、前記上下風向板Ｅを前記吹出口Ｂの前後であって上下に二枚設け、同二枚の上下風向板Ｅを相互に連携して駆動する連係手段および駆動手段を設け、同連係手段および同駆動手段により前記二枚の上下風向板Ｅを略水平位置に回動した際、図３（Ｂ）に示すように、前記下部の上下風向板Ｅを、前記吹出口Ｂの下部を構成するリヤガイダＦのほぼ延長上に配置した構成でなるものが開示されていた（例えば、特許文献１参照。）。
【０００３】
しかしながら、前記下部の上下風向板Ｅは、その一部が略平板状に形成されていることから、前記リヤガイダＦのほぼ延長上に配置した際、図３（Ｃ）に示すように、回動した時の角度によっては、前記リヤガイダＦを滑らかに延長することができずに該箇所に急な角度がついたり、また、段部がついてしまうことになるため、前記リヤガイダＦに沿って流通する空気を滑らかに上下偏向できなくなって送風性能を低下させてしまうおそれがあった。
【０００４】
また、前記上下二枚の上下風向板Ｅは、図３（Ａ）乃至図３（Ｃ）に示すように、前記吹出口Ｂの上下寸法に対応する夫々の幅寸法が短くなって回動時の動きが判りづらいという問題点を有していた。そこで、例えば一枚の上下風向板で構成した場合には、部材を減らすことでコストダウンをはかれる一方、前記吹出口Ｂの上下寸法に対応する幅寸法が長くなって、厚さ寸法を増加させなければ強度不足になってしまうおそれがあった。
【０００５】
または、居室の隅々まで調和空気を行き届かせることができて騒音を低減できるものとして、図４に示すように、送風経路ａ内の前方下方に調和空気を導く前方案内部ｂの進行方向前方に風向を可変する風向可変部ｃ，ｄを設け、吹出口ｅから調和空気を直下方向または後方下方に送出する際に、風向可変部ｃ，ｄ近傍の静圧分布が前方案内部ｂの静圧よりも高圧の高静圧部ｆを有し、高静圧部ｆの等圧線が風向可変部ｃ，ｄに面して流通する調和空気の流通方向に沿って形成されるように風向可変部ｃ，ｄを配置し、この風向可変部ｃ，ｄにより送風経路ａを延長した構成でなるものが開示されていた（例えば、特許文献２参照。）。
【０００６】
しかしながら、高静圧部ｆの等圧線が風向可変部ｃ，ｄに面して流通する調和空気の流通方向に沿って形成されるように風向可変部ｃ，ｄを配置したものであって、例えば、この風向可変部ｃを回動するための腕部ｇを設ける必要が生じるなどにより構造が複雑化してしまうという問題点を有していた。
【特許文献１】特開平９−２８７８０７号公報
【特許文献２】特開２００５−１６４０６３号公報
【発明の開示】
【発明が解決しようとする課題】
【０００７】
そこで、本発明は上述した課題を解決するためになされたものであって、その目的は、簡便な構成で短い送風路を隙間なく滑らかに延長できるとともに、回動時の動きが判りやすい幅広寸法であっても強度を有した構成でなる上下風向板を備えて、送風性能を向上できるようにした空気調和機を提供することにある。
【課題を解決するための手段】
【０００８】
上述した目的を達成できるように、簡便な構成で送風路を隙間なく滑らかに延長できる上下風向板を備えて送風性能を向上するため、本発明は以下に示す特徴を備えている。
【０００９】
吸込口と吹出口とを結ぶ空気通路に熱交換器および送風ファンが設けられ、前記吹出口に上下風向板が回動自在に枢支され、同上下風向板の停止時に前記吹出口が閉塞され回動時に開放されてなる空気調和機において、
前記上下風向板は、断面Ｓ字状に形成されて前記吹出口を構成するリアガイダの近傍に設けられた枢支部と、前記吹出口を構成するフロントガイダの近傍に設けられた補助枢支部とで回動自在に枢支され、停止時に、前記リアガイダ寄りとなる下位部に後方に突出する凸面部を有し、上位部に前方に突出する凸面部を有してなることを特徴としている。
【発明の効果】
【００１０】
本発明によれば、簡便な構成で短い送風路を隙間なく滑らかに延長できるとともに、回動時の動きが判りやすい幅広寸法であっても強度を有した構成でなる上下風向板を備えて、送風性能を向上できるようにした空気調和機を提供できる。
【発明を実施するための最良の形態】
【００１１】
次に、本発明の実施形態について図面を参照しながら説明する。
【００１２】
図１は本発明による空気調和機の説明図で、（Ａ）は外観斜視図、（Ｂ）は断面図であり、図２は本発明による空気調和機の要部説明図で、（Ａ）は運転停止時に上下風向板で吹出口を閉塞した状態を示す断面図であり、（Ｂ）は冷房運転時に上下風向板をリヤガイダ近傍の枢支部を中心に略水平位置に回動した状態を示す断面図であり、（Ｃ）は暖房運転時に上下風向板をフロントガイダ近傍の補助枢支部を中心に略垂直位置に回動した状態を示す断面図である。
【００１３】
本発明による空気調和機は、図１（Ａ）および図１（Ｂ）に示すように、吸込口１と吹出口２とを結ぶ空気通路に、吸込空気を熱交換する熱交換器３と、熱交換された空気を前記吹出口２に送出する送風ファン４とが設けられている。
【００１４】
前記吹出口２には、互いに連結され左右方向の風向を偏向する左右風向板群５が回動自在に枢支されるとともに、上下方向の風向を偏向する上下風向板７が回動自在に枢支されている。
【００１５】
前記上下風向板７は、前記吹出口２の下壁を構成するリヤガイダ２ａの先端部近傍に設けられた枢支部６により回動自在に枢支されており、冷房運転時には、同枢支部６を中心に略水平位置に回動することにより、前記リヤガイダ２ａを延長させる機能を有して冷気を略水平方向に吹き出せるようになっている。
【００１６】
また、前記上下風向板７は、前記吹出口２の上壁を構成するフロントガイダ２ｂの先端部近傍に設けられた補助枢支部６’により回動自在に枢支されており、暖房運転時には、同補助枢支部６’を中心に略垂直位置に回動することにより、湾曲面を介して前記フロントガイダ２ｂを略垂直方向に偏向させながら延長させる機能を有して暖気を下方に吹き出せるようになっている。
【００１７】
空気調和機を小型化するため、とくに薄型化をはかるような場合には、前記送風ファン４から前記吹出口２に到る送風路が短くなってしまう傾向にあるが、本発明においては、この送風路を構成部材を増やすことなく簡便に、且つ滑らかに延長できるようにすることで、送風性能を向上できるように構成している。
【００１８】
そのため、前記上下風向板７は、図１（Ｂ）に示すように断面Ｓ字状に形成されることによって、前記リヤガイダ２ａや前記フロントガイダ２ｂをほぼ隙間なく延長できる機能と、前記吹出口２における上下方向の風向を円滑に偏向できる機能とをもたせるようにした構成にしている。
【００１９】
これによって、簡便な構成で短い送風路を隙間なく延長できて送風性能を向上できるようにした空気調和機となる。
【００２０】
また、前記上下風向板７は、断面Ｓ字状に形成されたことで強度を増強させた構成になっており、これによって、例えば、強度を補強させるための複数の補強リブを裏面に設ける必要がなくなり、その分素材の使用量を減らしてコストダウンや軽量化をはかることができるようになっている。
【００２１】
また、前記上下風向板７は、断面Ｓ字状に形成されたことで、図１（Ｂ）に示す下位部の表面が凹面状になるとともに、これに連続させて前記吹出口２の両側部前面の表面も凹面状に形成されることで、該箇所全体にスリム感をもたせたように見せる意匠性を実現できることになる。
【００２２】
また、前記上下風向板７は、断面Ｓ字状に形成されたことで表面の凸部を照射した光は反射しやすくなる一方、凹部には陰影がつくようにした構成になることから、回動時には、表面の凸部と凹部とが一目で識別できるようになり、回動していることを容易に視認できることになる。
【００２３】
次に、図２（Ａ）乃至図２（Ｃ）に基づいて、前記上下風向板７の動作について以下に説明する。
【００２４】
運転停止時には、前記上下風向板７は、図２（Ａ）に示すように前記吹出口２を閉塞している。
【００２５】
前記吹出口２を閉塞した運転停止時に、前記上下風向板７は、前記リヤガイダ２ａ寄りとなる下位部に後方に突出する凸面部を有し、前記フロントガイダ２ｂ寄りとなる上位部に前方に突出する凸面部を有しており、これによって、前記吹出口２から内部が見えてしまわないようになるとともに、上述したように、前記上下風向板７の下位部表面およびその両側部表面にわたってスリム感をもたせることになる。
【００２６】
冷房運転時には、前記上下風向板７は、図２（Ｂ）に示すように前記枢支部６を中心に回動して前記吹出口２を開放するとともに、同上下風向板７の基端部７ａを前記吹出口２を構成するリヤガイダ２ａの先端部に近接させることにより、同リヤガイダ２ａの先端部を、前記上下風向板７によってほぼ隙間なく延長して吹出空気を導けるようになる。
【００２７】
その際、前記上下風向板７は、前記リヤガイダ２ａに近接した基端部７ａに上方に突出する凸面部を有しているので、回動時の角度範囲に多少のバラツキがあったとしても、前記リヤガイダ２ａに沿って流通する吹出空気を円滑に導けるように延長できることになる。
【００２８】
また、前記上下風向板７が、前記リヤガイダ２ａに近接した基端部７ａに上方に突出する凸面部を有して断面Ｓ字状に形成されていることから、前記リヤガイダ２ａに沿って前記基端部７ａに導かれた吹出空気が、前記基端部７ａから先端部に向かうにしたがって少許上向きに偏向されながら、略水平方向に向けて効率よく吹き出されることになる。
【００２９】
なお、前記枢支部６が前記リヤガイダ２ａの先端部近傍に設けられているので、冷房運転時に略水平位置に回動した前記上下風向板７は、その基端部７ａが前記リヤガイダ２ａの先端部にほぼ隙間なく近接することになる。
【００３０】
暖房運転時には、前記上下風向板７は、図２（Ｃ）に示すように前記補助枢支部６’を中心に回動して前記吹出口２を開放するとともに、同上下風向板７の先端部７ａ’を前記吹出口２を構成するフロントガイダ２ｂの先端部に近接させることにより、同フロントガイダ２ｂの先端部を、前記上下風向板７によってほぼ隙間なく、且つ下方に偏向させながら延長して吹出空気を導けるようになる。
【００３１】
その際、断面Ｓ字状に形成された前記上下風向板７は、前記フロントガイダ２ｂに近接した側となる基端部に前方に表面が突出する凸面部を有しているので、この凸面部の裏面側となる凹面部によって、前記フロントガイダ２ｂに沿って流通する吹出空気を下方に向けて滑らかに偏向できることになる。
【００３２】
また、前記上下風向板７が断面Ｓ字状に形成されていることから、前記フロントガイダ２ｂに沿って前記フロントガイダ２ｂに近接した側となる基端部に導かれた吹出空気が、この基端部から先端部７ａ’に向かうにしたがって少許前方に偏向されながら、同先端部７ａ’に沿って下方に効率よく吹き出されることになる。
【００３３】
なお、前記補助枢支部６’が前記フロントガイダ２ｂの先端部近傍に設けられているので、暖房運転時に略垂直位置に回動した前記上下風向板７は、その基端部が前記フロントガイダ２ｂの先端部にほぼ隙間なく近接することになる。
【００３４】
以上説明したように、本構成によれば、簡便な構成で短い送風路を隙間なく滑らかに延長できて送風性能を向上できるとともに、回動時の動きが判りやすく、幅広であっても強度を有した構成でなる上下風向板を備えて、前記吹出口２を流通する吹出空気を効果的に偏向できるようにした空気調和機となる。
【図面の簡単な説明】
【００３５】
【図１】本発明による空気調和機の説明図で、（Ａ）は外観斜視図であり、（Ｂ）は断面図である。
【図２】本発明による空気調和機の要部説明図で、（Ａ）は運転停止時に上下風向板で吹出口を閉塞した状態を示す断面図であり、（Ｂ）は冷房運転時に上下風向板をリヤガイダ近傍の枢支部を中心に略水平位置に回動した状態を示す断面図であり、（Ｃ）は暖房運転時に上下風向板をフロントガイダ近傍の補助枢支部を中心に略垂直位置に回動した状態を示す断面図である。
【図３】第一の従来例による空気調和機の説明図で、（Ａ）は断面図であり、（Ｂ）は上下風向板を略水平位置に回動した状態を示す要部断面図であり、（Ｃ）は上下風向板を略垂直位置に回動した状態を示す要部断面図である。
【図４】第二の従来例による空気調和機の断面図である。
【符号の説明】
【００３６】
１  吸込口
２  吹出口
２ａ  リヤガイダ
２ｂ  フロントガイダ
３  熱交換器
４  送風ファン
５  左右風向板群
６  枢支部
６’  補助枢支部
７  上下風向板
７ａ  基端部
７ａ’  先端部
【図１】
2009074757.tif 000003
【図２】
2009074757.tif 000004
【図３】
2009074757.tif 000005
【図４】
2009074757.tif 000006